(57)【要約】【課題】オンからオフになる時の応答速度を決定する時強誘電性配向膜の極性に対する反応性が作用する原理を利用して、立ち上がり（rising）時と反対になる極性の過電圧を立ち下がり（falling）時に所定期間印加することで、立ち下がり時間を短くする横電界方式の液晶表示装置駆動方法を提供する。【解決手段】直流形態の共通電圧を液晶セルの共通電極に供給する段階と、前記共通電圧を基準に、データ電圧を印加する時第１ゲート信号が印加されてゲートラインがオンになる区間内の特定期間の間前記データ電圧より高い電圧を前記液晶セルに加える段階と、前記ゲートラインに第２ゲート信号が印加される前まで前記データ電圧の極性を反転しないで、前記第２ゲート信号が印加されようとする時間に近接して前記データ電圧と反対極性の過電圧を所定期間の間印加する段階が含まれて駆動される。【選択図】図６
2005196159.tif 000002
【特許請求の範囲】
【請求項１】
液晶セルを備えた液晶パネルの共通電極に共通電圧を印加する段階と、
前記共通電圧を基準に反転する位相を持つ第１及び第２データ電圧を画素電極に印加し前記液晶セルを駆動する際、前記第１及び／または第２データ電圧に先立って液晶セルに補償電圧を印加する段階と
を備え、
以前に印加したデータ電圧と補償電圧との差が前記反転する位相を持つデータ電圧の差より大きい
ことを特徴とする液晶表示装置の駆動方法。
【請求項２】
前記補償電圧の大きさは、前記補償電圧に対応するデータ電圧より大きい
ことを特徴とする請求項１に記載の液晶表示装置の駆動方法。
【請求項３】
前記補償電圧の大きさは、前記補償電圧に対応するデータ電圧より小さい
ことを特徴とする請求項１に記載の液晶表示装置の駆動方法。
【請求項４】
前記補償電圧の極性は、前記補償電圧に対応するデータ電圧の極性と同じである
ことを特徴とする請求項１に記載の液晶表示装置の駆動方法。
【請求項５】
前記補償電圧の極性は、前記補償電圧に対応するデータ電圧の極性と反対である
ことを特徴とする請求項１に記載の液晶表示装置の駆動方法。
【請求項６】
前記補償電圧が前記液晶セルのデータラインに印加される
ことを特徴とする請求項１に記載の液晶表示装置の駆動方法。
【請求項７】
前記補償電圧が前記液晶セルの共通電極に印加される
ことを特徴とする請求項１に記載の液晶表示装置の駆動方法。
【請求項８】
直流の共通電圧を液晶セルの共通電極に印加する段階と、
前記共通電圧を基準に、データ電圧を印加する際、第１ゲート信号が印加されてゲートラインがオンになる区間内の特定期間の間、前記データ電圧より高い電圧を前記液晶セルに印加する段階と、
前記ゲートラインに第２ゲート信号が印加される前まで、前記データ電圧の極性を反転しないで、前記第２ゲート信号が印加される時間に近接して前記データ電圧と反対極性の過電圧を所定期間の間印加する段階と
を備える液晶表示装置の駆動方法。
【請求項９】
前記データ電圧と反対極性の過電圧を印加することは、短い時間の間非対称的に印加することである
ことを特徴とする請求項８に記載の液晶表示装置の駆動方法。
【請求項１０】
前記データ電圧は、一定な周期で液晶セルに反転されて供給される
ことを特徴とする請求項８に記載の液晶表示装置の駆動方法。
【請求項１１】
前記液晶セルを備えた液晶表示装置は、横電界方式の液晶表示装置として、対向される二枚の基板と、前記基板それぞれに互いに対向するように形成された電極パターンと、前記電極パターンが形成された基板の間に充填された液晶層と、前記電極パターンと前記液晶層の間に位置するように前記基板それぞれに形成された配向膜とを備えたことを特徴とする請求項８に記載の液晶表示装置の駆動方法。
【請求項１２】
前記配向膜は、前記電極パターンの間に印加される電界によって前記液晶層の配向方向を前記基板の表面と平行な面で変更させる
ことを特徴とする請求項１１に記載の液晶表示装置の駆動方法。
【請求項１３】
前記配向膜には、強誘電性液晶が含まれている
ことを特徴とする請求項１１に記載の液晶表示装置の駆動方法。
【請求項１４】
前記液晶層は、ネガティブタイプの液晶層である
ことを特徴とする請求項１１に記載の液晶表示装置の駆動方法。
【請求項１５】
直流の共通電圧を液晶セルの共通電極に印加する段階と、
前記共通電圧を基準に、データ電圧を印加する際、第１ゲート信号が印加されてゲートラインがオンになる区間内の特定期間の間、前記データ電圧より高い電圧を印加する段階と、
前記ゲートラインに第２ゲート信号が印加される前まで期間中、前記第２ゲート信号が印加される時間に近接して前記共通電圧を前記データ電圧と等しい極性の電圧で所定期間過度に印加する段階と
を備えたことを特徴とする液晶表示装置の駆動方法。
【請求項１６】
前記共通電圧を前記データ電圧と等しい極性の電圧で所定期間過度に印加することは、短い時間の間、非対称的に印加することである
ことを特徴とする請求項１５に記載の液晶表示装置の駆動方法。
【請求項１７】
前記データ電圧は、一定な周期で液晶セルに反転されて供給される
ことを特徴とする請求項１５に記載の液晶表示装置の駆動方法。
【請求項１８】
前記液晶セルを備えた液晶表示装置は、横電界方式の液晶表示装置として、対向する二枚の基板と、前記基板それぞれに互いに対向するように形成された電極パターンと、前記電極パターンが形成された基板の間に充填された液晶層と、前記電極パターンと前記液晶層の間に位置するように前記基板それぞれに形成された配向膜とを備える
ことを特徴とする請求項１５に記載の液晶表示装置の駆動方法。
【請求項１９】
前記配向膜は、前記電極パターンの間に印加される電界によって前記液晶層の配向方向を前記基板の表面と平行な面で変更させる
ことを特徴とする請求項１８に記載の液晶表示装置の駆動方法。
【請求項２０】
前記配向膜には、強誘電性液晶が含まれている
ことを特徴とする請求項１８に記載の液晶表示装置の駆動方法。
【請求項２１】
前記液晶層は、ネガティブタイプの液晶層である
ことを特徴とする請求項１８に記載の液晶表示装置の駆動方法。
【発明の詳細な説明】
【技術分野】
【０００１】
本発明は、液晶表示装置の駆動方法に関するもので、特に強誘電性液晶を利用した横電界方式の液晶表示装置の駆動方法に関するものである。
【背景技術】
【０００２】
一般的に、液晶表示装置は、ねじれネマティックモード（Twisted Nematic Mode、以下ＴＮモードと称す）と横電界モード（In Plane Switching Mode、以下IPSモードと称す）の液晶パネルに区分される。
【０００３】
ここで、前記ＴＮモードの液晶パネルでは、液晶分子がパネルと垂直な方向を基準にして動くようになる。このため、ＴＮモードの液晶パネルは、互いに対向した二枚の硝子基板を広い透明電極を利用してパネルの表面と垂直な方向の電界が液晶層に加えられるようにする。このようなＴＮモードの液晶パネルでは十分な輝度を得ることができるが視野角が狭くなる。
【０００４】
一方、ＩＰＳモードの液晶パネルは、液晶分子がパネルと平行な平面で動くようにすることで視野角を大きくできる。このため、ＩＰＳモードの液晶パネルは、基板と平行な方向に作用する横方向電界が液晶分子に印加されるようにする。このような横方向の電界を発生させるために、ＩＰＳモードの液晶パネルは、画素電極と共通電極が同一基板上に存在し、このような電極配線のため、下部光源の光による透過率及び開口率が低下される短所がある。それによって、ＩＰＳモードの液晶パネルは十分な輝度を得難くなる。
【０００５】
図１は、関連技術のＩＰＳモード液晶パネルの構造を説明する断面図である。
関連技術のＩＰＳモードの液晶パネルは、図１に図示されたように、表面に第１配向膜１４Ａが形成された上部基板１０と、表面に画素電極１６Ａと共通電極１６Ｂ及び第２配向膜１４Ｂが順次形成された下部基板１２を具備する。これら上部基板１０及び下部基板１２は、第１及び第２配向膜１４Ａ、１４Ｂ等が互いに対向するように合着され、前記第１及び第２配向膜１４Ａ、１４Ｂの間には液晶層１８が注入されるようになる。
【０００６】
液晶層１８を構成する液晶分子は下部基板１２の上位帯電用電極パターンによって形成される横電界に応答して下部基板１２と平行な平面からの動きとして光透過率を調節するようになる。
【０００７】
前記したように、関連技術のＩＰＳモードの液晶パネルでは、画素電極１６Ａと共通電極１６Ｂ全てが片方の基板上に形成されなければならないので、画素の開口率が小くなり、それによって、ＩＰＳモードの液晶パネルを通過する光量が制限されるしかなく、結果的に、前記ＩＰＳモードの液晶パネルは十分な輝度を得ることができないという短所がある。
【０００８】
また、関連技術のＴＮモード及びＩＰＳモード液晶表示装置は、前記液晶パネル外に映像データを前記液晶パネルに表示するための駆動部が具備されなければならない。
【０００９】
前記駆動部は、外部から入力される映像信号を処理して同期信号を出力する中央処理部と、前記中央処理部から出力される同期信号に基づいて映像表示に必要な各種信号を作り出すタイミングコントローラと、前記タイミングコントローラの出力信号によって液晶パネルに具備されたデータラインに信号電圧を供給するデータ駆動部と、前記タイミングコントローラの出力信号によって液晶パネルに具備されたゲートラインに順次ゲート信号を印加するゲート駆動部と、前記駆動部に必要な各種電圧値電源を生成する電源部とで構成される。
【００１０】
ここで、前記ゲートラインに印加される電圧によって薄膜トランジスターのオン／オフが決定され、薄膜トランジスターがオン（ＯＮ）になってチャンネルが開かれれば信号電圧等が画素に充電されて、映像データが液晶パネルに表示される。この時、前記データ駆動部は、共通電圧、＋、−映像信号を液晶パネルに提供して映像データを液晶パネルに表示するようになり、前記＋、−映像信号は交互に画素電極に印加されて、共通電極に＋、−映像信号の平均電圧に対応する共通電圧Ｖｃｏｍが印加される。
【００１１】
図２は、関連技術の液晶表示装置に印加される信号の駆動波形図である。
図２を参照すれば、薄膜トランジスターのオン／オフはゲート電圧によって決定される。通常、２１Ｖ程度であるゲートハイ電圧Ｖｇｈが印加されればゲートが開かれてオンになり、−５Ｖであるゲートロー電圧Ｖｇｌが印加されればゲートが閉じてオフになる。
【００１２】
この時、共通電極に印加される共通電圧Ｖｃｏｍは一定なＤＣ波形として印加され、駆動周波数による一定な周期で前記共通電圧を基準にデータ印加電圧Ｖ２、Ｖ１が反転されて入力される。
しかし、関連技術の液晶表示装置の場合、図示されたように、前記データ印加電圧Ｖ１、Ｖ２による応答速度２００、２１０が遅く動画イメージを再生することが困難だという短所がある。
【発明の開示】
【発明が解決しようとする課題】
【００１３】
本発明は、強誘電性配向膜を利用した横電界方式の液晶表示装置の駆動方法において、立ち下がり時間立ち下がり時間、即ち、オンからオフされる時の応答速度を決定する時、前記強誘電性配向膜の極性に対する反応性が作用する原理を利用して、立ち上がり（rising）時と反対になる極性の過電圧を立ち下がり（falling）時、所定期間印加することで、立ち下がり時間を短くする横電界方式の液晶表示装置駆動方法を提供することにその目的がある。
【課題を解決するための手段】
【００１４】
前記目的を達成するために、本発明の一実施例による横電界方式の液晶表示装置駆動方法は、直流形態の共通電圧を液晶セルの共通電極に供給する段階と、前記共通電圧を基準に、データ電圧を印加する時第１ゲート信号が印加されゲートラインがオンになる区間内の特定期間の間前記データ電圧より高い電圧を前記液晶セルに加える段階と、前記ゲートラインに第２ゲート信号が印加される前まで前記データ電圧の極性を反転しないで、前記第２ゲート信号が印加されようとする時間に近接して前記データ電圧と反対極性の過電圧を所定期間の間印加する段階、が含まれることを特徴とする。
【００１５】
また、本発明の他の実施例による横電界方式の液晶表示装置駆動方法は、直流形態の共通電圧を液晶セルの共通電極に供給する段階と、前記共通電圧を基準に、データ電圧を印加する時第１ゲート信号が印加されてゲートラインがオンになる区間内の特定期間の間前記データ電圧より高い電圧を加える段階と、前記ゲートラインに第２ゲート信号が印加される前までの期間中前記第２ゲート信号が印加されようとする時間に近接して前記共通電圧を前記データ電圧と等しい極性の電圧で所定期間に過度に印加する段階が含まれることを特徴とする。
【発明の効果】
【００１６】
このような本発明による横電界方式の液晶表示装置駆動方法によれば、配向膜に強誘電性液晶を含んで使用する場合立ち下がり時間即ち、オンからオフになる時の応答速度を決定するのに前記強誘電性液晶の極性に対する反応性が作用することを利用して、立ち上がり時（rising）時と反対になる極性の電圧を立ち下がり（falling）時、所定期間の間印加することで、オンからオフになる時の応答速度を改善することができるという長所がある。
【００１７】
また、前記立ち上がり時時と反対になる極性の電圧を印加することはブラックデータを挿入する効果をもたらして、結果的に明暗比（contrast ratio）が改善される長所がある。 
【発明を実施するための最良の形態】
【００１８】
以下添付された図面を参照して本発明による実施例を詳細に説明するようにする。
図３は、本発明の一実施例による横電界方式の液晶パネルの構造を説明する断面図である。この実施例は、強誘電性液晶を配向膜で使用するＩＰＳモード液晶パネルの一実施例であるが、本発明による駆動方法は、前記構造の液晶表示装置に必ず限定されるものではない。
【００１９】
図３を参照すれば、本発明の一実施例によるＩＰＳモードの液晶パネルは、互いに対面するように配列された上部基板２０及び下部基板２２を具備する。ここで、上部基板２０の下面には第１電極２４Ａ及び第１配向膜２６Ａが順次形成されて、前記下部基板２２の表面にも第２電極２４Ｂ及び第２配向膜２６Ｂが順次形成されている。
【００２０】
第１電極２４Ａは、ＴＮモードの液晶パネルと等しくすべての画素を覆うことができる一つの電極板形態に形成され、第２電極２４Ｂまたもまた全ての画素を覆うことができる一つの電極板形態に形成される。また、第１及び第２配向膜２６Ａ、２６Ｂの間には液晶層２８が形成されている。 
【００２１】
前記第１及び第２配向膜２６Ａ、２６Ｂは、第１及び第２電極２４Ａ、２４Ｂの間に印加される電界（即ち、パネルの表面と垂直な方向の電場）によって分子が再配列される物質で形成される。
【００２２】
ここで、前記第１及び第２配向膜２６Ａ、２６Ｂは、強誘電性液晶（FLC : Ferroelectric Liquid Crystal）で形成されていて、前記強誘電性液晶は、基板に対して平面でスイッチングするので従来のＩＰＳモード液晶パネルに比べて視野角特性が改善し、自発分極による反転スイッチングによって速い応答速度を持つ長所がある。
【００２３】
このような第１及び第２配向膜２６Ａ、２６Ｂを構成する配向物質分子は、第１及び第２電極２４Ａ、２４Ｂの間に電圧が印加される電場によって配向膜２６Ａ、２６Ｂの界面部（即ち、液晶層２８と接する第１及び第２配向膜２６Ａ、２６Ｂの表面層部分）が図４に図示されたようなメインチェーン（Main Chain；３０Ａ）及びサイドチェーン（Side Chain；３０Ｂ）を形成するように再配列される。
【００２４】
図４において、サイドチェーン３０Ｂはメインチェーン３０Ａから横に伸長させられた小枝の形態を成すようになる。また、サイドチェーン３０Ｂは第１及び第２電極２４Ａ、２４Ｂの間に印加される電場によって配向膜２６Ａ、２６Ｂの表面と平行な平面方向で変わる構造を持つ。言い換えれば、サイドチェーン３０Ｂは第１及び第２電極パターン２４Ａ、２４Ｂの間に印加される電場によって配向膜２６Ａ、２６Ｂの表面と平行な平面方向で動くようになる。
【００２５】
一方、液晶層２８は第１及び第２電極パターン２４Ａ、２４Ｂの間に印加される電場の影響を受けてはいけない。言い換えれば、液晶層２８は液晶分子が誘電異方性によって動かなくなるような小さな誘電異方性を持たなければならない。
【００２６】
前記液晶層２８は、ポジティブタイプ（Positive Type）及びネガティブタイプ（Negative Type）のネマティック液晶物質が使われることができるが、これらの中でネガティブタイプのネマティック液晶物質が望ましい。
【００２７】
このような液晶分子はそれらの位置によって両配向膜２６Ａ、２６Ｂの間に充填された液晶層２８が図４でのように第１及び第２コマンド層３２Ａ、３２Ｂとソルジャー層３４に区分される。
【００２８】
図４を参照すれば、第１コマンド層３２Ａは第１配向膜２４Ａに接した液晶層２８の上部表皮部分に該当し、第２コマンド層３２Ｂは第２配向膜２４Ｂと接した液晶物質層２８の下部表皮部分によって形成される。
【００２９】
第１コマンド層３２Ａに含まれた液晶分子は第１及び第２電極２４Ａ、２４Ｂの間に電場が印加された時に第１配向膜２６Ａの機械的な動力、即ち第１配向膜２６Ａの界面で現われるサイドチェーン３０Ｂの動きによって第１配向膜２６Ａの表面と平行な平面で動くようになる。
【００３０】
同様に、第２コマンド層３２Ｂに含まれた液晶分子等も第１及び第２電極パターン２４Ａ、２４Ｂの間に電場が印加された時に第２配向膜２６Ｂの機械的な動力、即ち第２配向膜２６Ｂの界面で現われるサイドチェーン３０Ｂの動きによって第１配向膜２６Ａの表面と平行な平面方向で動くようになる。
【００３１】
ソルジャー層３４は、第１及び第２コマンド層３２Ａ、３２Ｂ、即ち上部及び下部の表皮部分等を除いたあげく液晶層２８によって形成されるようになる。このソルジャー階３４に含まれた液晶分子は接する第１または第２コマンド層３２Ａ、３２Ｂの液晶分子の機械的な動力（即ち、動き）によって配向膜２６Ａ、２６Ｂの表面と平行な平面方向で動くようになる。
【００３２】
結果的に、第１及び第２配向膜２６Ａ、２６Ｂは、第１及び第２電極２４Ａ、２４Ｂの間に印加される電場に応答して界面上で現われるサイドチェーン３０Ｂの構造を変更させることで、第１及び第２コマンド層３２Ａ、３２Ｂとソルジャー層３４に含まれた液晶分子等が順次基板（２０、２２）の表面と平行な平面方向で動くようにする。
【００３３】
前記第１及び第２配向膜２６Ａ、２６Ｂは、前記のような構造外に前記電極２４Ａ、２４Ｂ上に強誘電性ポリマー（FLCP）で配向膜を形成することができ、その間に液晶層ではネマティック液晶を使って本発明の横電界方式液晶表示装置を適用することもできる。
【００３４】
図５は、本発明による液晶表示装置をブロック構成図で示した図面である。図５を参照すれば、液晶表示装置の駆動装置は、アナログビデオデータをデジタルビデオデータで変換するためのデジタルビデオカード５０と、液晶パネル５８のデータラインＤＬにビデオデータを供給するためのデータドライバー５４と、液晶パネル５８のゲートラインＧＬを順次駆動するためのゲートドライバー５６と、データドライバー５４とゲートドライバー５６を制御するためのタイミングコントローラー５２を具備する。
【００３５】
前記液晶パネル５８は、図３及び図４を通じて説明したような構造で成り立つことで、二枚の硝子基板の間に液晶が形成され、その下部硝子基板上にゲートラインＧＬとデータラインＤＬが相互直交になるように形成される。
【００３６】
また、前記ゲートラインＧＬとデータラインＤＬの交差部にはデータラインＤＬ等から入力される映像を液晶セルに選択的に供給するための薄膜トランジスターが形成され、前記薄膜トランジスターは、前記ゲートラインＧＬにゲート電極が接続され、データラインＤＬにソース電極が接続される。そして薄膜トランジスターのドレーン電極は液晶セルの画素電極に接続される。
【００３７】
また、本発明は、ＩＰＳモード液晶表示装置のため共通電極が前記画素電極が形成された基板上に形成され、前記共通電極と画素電極が横転係を成して液晶を駆動するようになる。
【００３８】
前記デジタルビデオカード５０は、アナログ入力映像信号を液晶パネル５８に適合したデジタル映像信号に変換して映像信号に含まれた同期信号を検出するようになる。
【００３９】
前記タイミングコントローラー５２は、デジタルビデオカード５０からの赤色Ｒ、緑Ｇ及び青色Ｂのデジタルビデオデータをデータドライバー５４に供給するようになる。また、タイミングコントローラー５２は、デジタルビデオカード５０から入力される水平／垂直同期信号（Ｈ、Ｖ）を利用してドットクロックDclk及びゲートスタートパルスＧｓｐ等のデータ及びゲート制御信号を生成してデータドライバー５４とゲートドライバー５６をタイミング制御するようになる。
【００４０】
ドットクロックDclk等のデータ制御信号は、データドライバー５４に供給され、ゲートスタートパルスＧｓｐ等のゲート制御信号は、ゲートドライバー５６に供給される。
【００４１】
ゲートドライバー５６は、タイミングコントローラー５２から入力されるゲートスタートパルスＧｓｐに応答して順次スキャンパルス即ち、ゲート電圧を発生するシフトレジスター（未図示）と、スキャンパルスの電圧を液晶セルの駆動に適合したレベルでシフトさせるためのレベルスィプト（未図示）等で構成される。
【００４２】
前記ゲートドライバー５６から入力されるスキャンパルスに応答してＴＦＴのゲートがオンされ、それによってデータラインＤＬにより伝送されるデータ電圧が液晶セルの画素電極に供給される。
【００４３】
また、データドライバー５４には、タイミングコントローラー５２から赤色Ｒ、緑Ｇ及び青色Ｂのデジタルビデオ信号と共にドットクロックDclkが入力される。前記データドライバー５４は、ドットクロックDclkに同期して赤色Ｒ、緑Ｇ及び青色Ｂのデジタルビデオデータをラッチした後に、ラッチされたデータをガンマー電圧Ｖγによって補正するようになる。そして、データドライバー５４は、ガンマー電圧Ｖγによって補正されたデータをアナログデータ即ちデータ電圧に変換して、１ライン分ずつデータラインＤＬに供給するようになる。
【００４４】
本発明は、図３及び図４で説明したように、強誘電性液晶が含まれた配向膜を使用するＩＰＳモード液晶表示装置であり、これは前記配向膜に含まれる強誘電性液晶の自発分極による反転スイッチング作用によって速い応答速度を持つという長所がある。
【００４５】
また、このように印加されるデータ電圧に対する速い応答速度は立ち下がり時間（falling time）即ち、オンからオフになる時の応答速度にも適用されるという点でその特徴がある。
【００４６】
即ち、配向膜に含まれる強誘電性液晶の自発分極による反転スイッチング作用によって電圧の調節（電場の調節）による応答速度の変化が立ち上がり時にだけ局限されないで、立ち下がり時間の場合にも適用されることができるのである。
【００４７】
前記強誘電性配向膜を使用するＩＰＳモードで応答速度を関係式を通じて説明すれば次のとおりである。
立ち上がり時間（rising time）τｏｎ即ち、オフからオンになる時の応答速度及び立ち下がり時間（falling time）τｏｆｆ即ち、オンからオフになる時の応答速度はそれぞれ下式で示される。
【００４８】
【数１】
2005196159.tif 000003
【００４９】
ここで、Ｅ１は＋の電界であり、Ｅ２は−の電界である。また、ηは液晶層バルク粘度、γ１は液晶回転粘度、Ｐｓは強誘電性液晶の自発分極、ｄはセルギャップ、Ｋ２２は水平方向回転弾性係数である。
【００５０】
即ち、強誘電性液晶を配向膜に適用する液晶表示装置は、従来の液晶表示装置とは違い立ち下がり時間の場合にもセルギャップと液晶の物質弾性係数のみならずＥ２の影響を受けるので、立ち上がり時（rising）と反対になる極性の過電圧を立ち下がり（falling）時、所定期間印加する（これをunder drivingと称する。）として、立ち下がり時間即ち、オンからオフになる時の応答速度を減らすことができる。これは前述したように、前記配向膜に含まれた強誘電性液晶の逆回転スイッチング性質によるものである。
【００５１】
図６は、本発明による強誘電性配向膜を利用した液晶表示装置に印加される信号の一実施例に駆動波形図である。図６を参照すれば、薄膜トランジスターのオン／オフはゲート電圧によって決定されるが、通常２１Ｖ程度であるゲートハイ電圧Ｖｇｈが印加されればゲートが開かれてオンになり、 -５Ｖであるゲートロー電圧Ｖｇｌが印加されればゲートが閉まってオフになる。
【００５２】
この時、共通電極に印加される共通電圧Ｖｃｏｍは一定なＤＣ波形で印加されて、駆動周波数による一定な周期に前記共通電圧を基準にデータ電圧Ｖ１、Ｖ２が反転され入力される。
【００５３】
この時、前記データ電圧Ｖ１、Ｖ２を印加することにおいて、ゲートがオンになる区間（１ frame）Ｇ１内の所定期間の間印加されるデータ電圧Ｖ２より高い電圧Ｖ２’を加えて（over driving）、その後ゲート信号Ｇ２が印加される前まで極性反転をしなかったり前記その後ゲート信号Ｇ２が印加されようとする時間のすぐ前に前記印加されるデータ電圧Ｖ２の反対極性を持つ電圧を過電圧Ｖ１’に印加する（under driving）ことをその特徴とする。
【００５４】
ここで、前記Ｖ１'、 Ｖ２'は補償電圧としての役目をする。本発明の場合は、強誘電性配向膜を利用して、前記配向膜に含まれた強誘電性液晶は立ち下がり時間６１０即ち、オンからオフになる時の応答速度においても電圧の影響を受けるため、前記のように印加されるデータ電圧Ｖ２の反対極性を持つ電圧Ｖ１’を過電圧に印加する（under driving）ことによって立ち下がり時間６１０を減らすことができる。
これは、前述したように前記強誘電性液晶の逆回転スイッチング性質によるものである。
【００５５】
また、前記印加されるデータ電圧Ｖ２の反対極性を持つ電圧Ｖ１’を過電圧で印加（under driving）することは立ち下がり時間６１０を減らすことのみならず、ブラックデータを挿入する効果をもたらし、結果的に、明暗比（contrast ratio）も改善される。
【００５６】
ここで、前記印加されるデータ電圧Ｖ２の反対極性を持つ電圧Ｖ１’を過電圧で印加（under driving）することは短い時間の間に非対称的に印加することであり、これを通じてon-timeの減少を最小化することができる。非対称的に印加するということは立ち上がり時間６００を減らすために加えられる電圧Ｖ２’と非対称的に印加されることを意味することである。
【００５７】
図６を参照して本発明の一実施例による液晶表示装置駆動方法を説明すれば、これは液晶セルが具備された液晶パネルの共通電極に共通電圧Ｖｃｏｍが提供される段階と、前記共通電圧Ｖｃｏｍ基準に反転される位相を持つ第１及び第２データ電圧Ｖ１、Ｖ２が画素電極に印加され前記液晶セルを駆動することにおいて、前記第１及び／または第２データ信号電圧に先立って液晶セルに補償電圧Ｖ１’、Ｖ２’が印加される段階が含まれ、以前に印加されたデータ電圧と補償電圧との差、即ち、一例で｜Ｖ２−Ｖ１’｜が前記反転される位相を持つデータ電圧の差｜Ｖ２−Ｖ１｜より大きいことを特徴とする。
【００５８】
この時、前記補償電圧Ｖ２'は前記補償電圧に対応する各データ電圧Ｖ２より大きいが、前記補償電圧Ｖ１'の大きさは前記補償電圧に対応するデータ電圧Ｖ１より小さく、前記補償電圧Ｖ１’、Ｖ２’の極性は前記補償電圧に対応するデータ電圧の極性Ｖ１、Ｖ２とそれぞれ同じことを特徴とする。
【００５９】
また、前記補償電圧は前記液晶セルのデータラインに印加される。図７は、本発明による強誘電性配向膜を利用した液晶表示装置に印加される信号の他の実施例の駆動波形図である。図７を参照すれば、これは図６と比べる時ｏｎ−ｔｉｍｅの終り即ち、ゲート信号Ｇ１が印加され、その後ゲート信号Ｇ２が印加される前の期間の中で前記後ゲート信号Ｇ２が印加されようとする時間のすぐ前に、共通電圧を前記印加されるデータ電圧Ｖ２の等しい極性を持つ電圧で所定期間過電圧を印加（Vcom'）して、図６で説明したようなunder drivingをしない点でその特徴がある。
【００６０】
このような信号の駆動は前記区間即ち、ｏｎ−ｔｉｍｅの終り部分でunder drivingすることと等しい効果を得るようになるので、結果的に、図６で説明したように立ち下がり時間７１０を減らすことができるようになる。言い換えれば、図６でのようにゲート信号Ｇ２が印加されようとする時間のすぐ前に前記印加されるデータ電圧Ｖ２の反対極性を持つ電圧を過電圧に印加しなかったが、その瞬間に共通電圧（Vcom'）が等しい極性で過電圧を印加されることで、相対的にデータ電圧Ｖ２が反対極性で過電圧がかかった状態のようになる効果が発生されるのである。
【００６１】
即ち、図７に図示された本発明の実施例の場合補償電圧は前記Ｖｃｏｍ'になって、前記補償電圧Ｖｃｏｍ'の極性は前記補償電圧Ｖｃｏｍ'に対応するデータ電圧Ｖ１の極性と反対であることを特徴とする。
【００６２】
また、この場合前記補償電圧は前記液晶セルの共通電極に印加される。
結果的に、図７のような方式に駆動する場合にも立ち下がり時間７１０を減らすことができ、またこれはブラックデータを挿入する効果をもたらして、結果的に明暗比（contrast ratio）も改善される。
【００６３】
ここで、前記共通電圧（Vcom'）を前記印加されるデータ電圧の等しい極性を持つ電圧に過度に印加することは短い時間の間非対称的に印加することであり、これを通じてｏｎ−ｔｉｍｅの減少を最小化することができる。
【００６４】
前記非対称的に印加加するということは立ち上がり時間７００を減らすために加えられる電圧Ｖ２’と非対称的に印加されることを意味するものである。
【００６５】
図８は、本発明による強誘電性配向膜を利用した液晶表示装置に印加される信号のまた他の実施例の駆動波形図である。図８を参照すれば、これは図６を通じて説明したように等しく駆動されることや、希望するグレーの輝度Ｌ５、Ｌ６を得るためにそれよりさらに高い輝度に対応する過電圧Ｖ５’、Ｖ６’を所定期間印加して前記希望するグレー輝度Ｌ５、Ｌ６に対する応答速度を短くするという点で多少差がある。
【００６６】
図８の立ち上がり時間１及び立ち下がり時間１は一般的な駆動方法による場合の応答速度を示すことであり、立ち上がり時間２及び立ち下がり時間２は本発明による駆動方法による場合の応答速度を示すものである。即ち、本発明による場合その応答速度が早くなることが分かる。ただし、その駆動方法の原理は図６を通じて説明したことと同じであるのでその説明は省略するようにする。
【産業上の利用可能性】
【００６７】
配向膜に強誘電性液晶を含んで使う場合立ち下がり時間即ち、オンからオフになる時の応答速度を決めるのに前記強誘電性液晶のに対する反応性が作用することを利用して、立ち上がり時（rising）時と反対になる極性の電圧を立ち下がり（falling）時、所定期間の間印加することで、オンからオフになる時の応答速度を改善することができるという産業上の利用可能性がある。
【図面の簡単な説明】
【００６８】
【図１】関連技術のIPSモード液晶パネルの構造を説明する断面図。
【図２】関連技術の液晶表示装置に印加される信号の駆動波形図。
【図３】本発明の一実施例による横電界方式の液晶パネルの構造を説明する断面図。
【図４】図３に図示された液晶パネルの作動を説明するための断面図。
【図５】本発明に対する液晶表示装置をブロック構成図で示した図面。
【図６】本発明による強誘電性液晶を利用した液晶表示装置に印加される信号の一実施例に駆動波形図。
【図７】本発明による強誘電性液晶を利用した液晶表示装置に印加される信号の他の実施例の駆動波形図。
【図８】本発明による強誘電性液晶を利用した液晶表示装置に印加される信号のまた他の実施例の駆動波形図。
【符号の説明】
【００６９】
６００、７００、８００:立ち上がり時間、６１０、７１０、８１０:立ち下がり時間。
【図１】
2005196159.tif 000004
【図２】
2005196159.tif 000005
【図３】
2005196159.tif 000006
【図４】
2005196159.tif 000007
【図５】
2005196159.tif 000008
【図６】
2005196159.tif 000009
【図７】
2005196159.tif 000010
【図８】
2005196159.tif 000011